(57)【要約】【課題】凹凸のある屋根に対しても屋根全体に平面状に整列させて太陽モジュールを設置することができる。【解決手段】本実施形態にかかる太陽電池モジュールの取付け構造は、太陽電池モジュールを屋根上に固定する取付け構造であって、上記屋根の傾斜方向に沿って少なくとも一つ上記屋根上に配置されると共に、上記屋根の傾斜方向と略垂直方向に複数所定の間隔で並列に前記屋根上に配置される複数の支持部材と、上記隣接する支持部材の間に、上記屋根を覆うように取り付けられる瓦棒葺き材と、上記隣接する瓦棒葺き材間を覆うように上記支持部材に取り付けられるキャップと、上記太陽電池モジュールを上記支持部材に固定する固定部材とを備え、上記支持部材は、上記屋根の傾斜方向に長尺に形成された本体と、この本体の長手方向一部から突出して形成され、上記瓦棒葺き材、上記キャップおよび上記固定部材を支持する突出部とを有していることを特徴とする。【選択図】図１
2014211067.tif 000002
【特許請求の範囲】
【請求項１】
太陽電池モジュールを屋根上に固定する太陽電池モジュールの取付け構造であって、
前記屋根の傾斜方向に沿って少なくとも一つ前記屋根上に配置されると共に、前記屋根の傾斜方向と略垂直方向に複数所定の間隔で並列に前記屋根上に配置される複数の支持部材と、
前記隣接する支持部材の間に、前記屋根を覆うように取り付けられる瓦棒葺き材と、
前記隣接する瓦棒葺き材間を覆うように前記支持部材に取り付けられるキャップと、
前記太陽電池モジュールを前記支持部材に固定する固定部材とを備え、
前記支持部材は、前記屋根の傾斜方向に長尺に形成された本体と、この本体の長手方向一部から突出して形成され、前記瓦棒葺き材、前記キャップおよび前記固定部材を支持する突出部とを有していることを特徴とする太陽電池モジュールの取付け構造。
【請求項２】
前記キャップは、前記突出部と並行に延びる鍔部を備え、
この鍔部は、前記突出部と重なる部分では当該突出部と前記瓦棒葺き材の端部を覆うように屈曲成形され、前記突出部と重ならない部分では前記瓦棒葺き材の端部を覆うように屈曲成形された後、さらに前記瓦棒葺き材の端部と共に下方に屈曲成形されていることを特徴とする請求項１に記載の太陽電池モジュールの取付け構造。
【請求項３】
前記突出部は、前記本体から前記屋根に沿う方向に突出していることを特徴とする請求項１または請求項２に記載の太陽電池モジュールの取付け構造。
【請求項４】
前記突出部は、前記本体から上方に起立する第１の部分と、この第１の部分から前記屋根に沿う方向に突出している第２の部分とを有していることを特徴とする請求項１または請求項２に記載の太陽電池モジュールの取付け構造。
【請求項５】
前記本体は、既存屋根の屋根葺き材の働き幅の２倍よりも長いことを特徴とする請求項１から請求項４のいずれか一項に記載の太陽電池モジュールの取付け構造。
【請求項６】
上方に開口する溝が長手方向に沿って形成され、この溝の開口部に外側に延びる張り出し部を備え、前記屋根上に所定の間隔で並列に配置される複数の通し吊子をさらに備え、
前記支持部材は、前記通し吊子の溝に配置されていることを特徴とする請求項１から請求項５のいずれか一項に記載の太陽電池モジュールの取付け構造。
【発明の詳細な説明】
【技術分野】
【０００１】
本発明は、太陽電池モジュールを取り付ける際に用いる太陽電池モジュールの取付け構造に関する。
【背景技術】
【０００２】
従来から、建物の屋根に太陽電池モジュールを設置する技術として、例えば、瓦棒葺き材の設置工法を利用して太陽電池モジュールを取り付ける技術が開示されている（例えば特許文献１など参照）。この技術は、太陽電池モジュールを瓦棒屋根の通し吊子に固定するもので、いわゆる屋根組込み型と呼ばれるものである。
【先行技術文献】
【特許文献】
【０００３】
【特許文献１】特開２０１０−１３８６３４号公報
【発明の概要】
【発明が解決しようとする課題】
【０００４】
屋根材表面が劣化し、見栄えが悪くなると共に雨漏りの心配がある既築住宅の屋根に太陽電池モジュールを設置する際、既存の屋根材を残したまま、その上から上記瓦棒屋根を設置し、更にその上から太陽電池モジュールを設置することで、太陽電池モジュールを設置しながら屋根の見栄えを良くし且つ屋根の耐久性を補強することが考えられる。
【０００５】
しかし、この場合、既存の屋根材の凹凸により複数の太陽電池モジュールを平面状に設置することができず、個々の太陽電池モジュールの表面がバラバラな向きを向いてしまい、屋根の外観を損ねると共に、発電効率に影響を与えるといった問題があった。
【０００６】
本発明は、上記問題に鑑みなされたもので、凹凸のある屋根に対しても複数の太陽電池モジュールを平面状に設置することが可能な、太陽電池モジュールの取付け構造を提供することを目的とする。
【課題を解決するための手段】
【０００７】
本発明の太陽電池モジュールの取付け構造は、太陽電池モジュールを屋根上に固定する取付け構造であって、上記屋根の傾斜方向に沿って少なくとも一つ上記屋根上に配置されると共に、上記屋根の傾斜方向と略垂直方向に複数所定の間隔で並列に前記屋根上に配置される複数の支持部材と、上記隣接する支持部材の間に、上記屋根を覆うように取り付けられる瓦棒葺き材と、上記隣接する瓦棒葺き材間を覆うように上記支持部材に取り付けられるキャップと、上記太陽電池モジュールを上記支持部材に固定する固定部材とを備え、上記支持部材は、上記屋根の傾斜方向に長尺に形成された本体と、この本体の長手方向一部から突出して形成され、上記瓦棒葺き材、上記キャップおよび上記固定部材を支持する突出部とを有していることを特徴としている。
このような構成とすることにより、凹凸のある屋根に対しても太陽電池モジュールを屋根全体に平面状に整列させて設置することができる。また、既存の屋根材を残したまま、その上から上記瓦棒屋根、太陽電池モジュールを順に設置することができるため、経年劣化した屋根材の見栄えの悪さや雨漏りの心配がある既築住宅の屋根に対して、太陽電池モジュールを設置しながら屋根の見栄えを良くし且つ屋根の耐久性を補強することができる。
【０００８】
また、上記キャップは、上記突出部と並行に延びる鍔部を備え、この鍔部は、上記突出部と重なる部分では当該突出部と上記瓦棒葺き材の端部を覆うように屈曲成形され、上記突出部と重ならない部分では上記瓦棒葺き材の端部を覆うように屈曲成形された後、さらに上記瓦棒葺き材の端部と共に下方に屈曲成形されていることを特徴としている。
このような構成とすることにより、瓦棒葺き材の屋根への固定強度を向上させることができると共に下地となる既存屋根への浸水を確実に防止することができる。
【０００９】
また、上記突出部は、上記本体から上記屋根に沿う方向に突出していることを特徴としている。
このような構成とすることにより、太陽電池モジュールを固定する固定部材を支持部材に瓦棒葺き材およびキャップとともに容易に固定することができる。
【００１０】
また、上記突出部は、上記本体から上方に起立する第１の部分と、この第１の部分から上記屋根に沿う方向に突出している第２の部分とを有していることを特徴としている。
このような構成とすることにより、瓦棒葺き材を敷設する際に、突出部と重ならない部分において上記瓦棒葺き材の端部と共に下方への屈曲成形を容易にすることができる。
【００１１】
また、上記本体は、既存屋根の屋根葺き材の働き幅の２倍よりも長いことを特徴としている。
このような構成とすることにより、一つの通し吊子に複数の支持部材を配置する場合に、スレート屋根等の既存屋根の凹凸を吸収し、太陽電池モジュールを平面状に配置することができる。
【００１２】
さらに、上方に開口する溝が長手方向に沿って形成され、この溝の開口部に外側に延びる張り出し部を備え、上記屋根上に所定の間隔で並列に配置される複数の通し吊子を備え、上記支持部材は、上記通し吊子の溝に配置されていることが好ましい。
このような構成とすることにより、支持部材を屋根の傾斜方向に複数配置する場合、一列に揃えるのが容易で作業性が向上するとともに、突出部と重ならない部分で、瓦棒葺き材の端部およびキャップの端部に加え、通し吊子の張り出し部も重ねて折り曲げすることができるので、瓦棒葺き材およびキャップの連結をより強固にすることができる。
【発明の効果】
【００１３】
本発明の太陽電池モジュールの取付け構造によれば、凹凸のある屋根に対しても太陽電池モジュールを屋根全体に平面状に整列させて設置することができる。
【図面の簡単な説明】
【００１４】
【図１】本実施形態に係る太陽電池モジュールの取付け構造を示す断面図である。
【図２】図１における支持部材を示す斜視図である。
【図３】支持部材の取付けまでを示す分解斜視図である。
【図４】図１における固定部材の分解斜視図である。
【図５】固定部材を取り付けた状態を示す斜視図である。
【図６】図５における点線Ａ−Ａ’の断面図である。
【図７】図５における点線Ｂ−Ｂ’の断面図である。
【図８】本実施形態に係る太陽電池モジュールの取付け方法を示すフローチャートである。
【図９】既設屋根に太陽電池モジュールを取付けた際の構成を示す斜視図である
【図１０】本発明の他の実施形態にかかる支持部材の斜視図である。
【発明を実施するための形態】
【００１５】
以下、本発明の実施形態について図面を参照して詳細に説明するが、本発明は下記実施形態に限定されず、その要旨を逸脱しない範囲で様々な変形が可能である。なお、図面の説明において同一又は同等の要素には同一の符号を付し、重複する説明を省略する。
【００１６】
図１は、太陽電池モジュールの取付け構造を示す断面図であり、図２は、図１に示す支持部材の斜視図であり、図３は、支持部材の取付けまでを示す分解斜視図である。
【００１７】
太陽電池モジュールの取付け構造は、凹凸のある屋根の上に瓦棒屋根を敷設すると共に太陽電池モジュール１００を取り付ける機構である。ここでは凹凸のある屋根として、スレート瓦等で全面が敷かれ完成した屋根（スレート屋根）を例にとり説明する。
【００１８】
図１に示すように、太陽電池モジュールの取付け構造１は、ルーフィング材１０、通し吊子２０、支持部材３０、瓦棒葺き材４０、キャップ５０、固定部材６０及び目地キャップ７０を備えている。太陽電池モジュール１００は、太陽電池パネル１０１と、太陽電池パネル１０１の外縁に取り付けられた枠材１０２を含んで構成される。
【００１９】
ルーフィング材１０は、既設の屋根Ｒ、例えばスレート屋根、の全体を覆うように取り付けられる。ルーフィング材１０は、防水性と接着（粘着）性を備えたシート状の部材であり、スレート屋根表面に接着して取り付けられ、スレート屋根の防水を補強する。ルーフィング材１０としては、具体的には、例えばサンクラフト（服部猛株式会社製；商品名）等を挙げることができる。なお、野地板Ｓに直接瓦棒屋根を敷設する形態の場合には、ルーフィング材１０を取り付けなくてもよい。
【００２０】
通し吊子２０は、図３に示すように、長方形の金属板を曲折形成した部材である。通し吊子２０は、その長手方向に沿って上方に開口する溝２１を有している。溝２１の底部２２は、ルーフィング材１０と接する部分であり、平坦に形成されている。通し吊子２０の開口付近には、溝２１から外側に底部２２と並行に延びる張り出し部２３が設けられている。通し吊子２０の長さ（長手方向の長さ）は、既存のスレート屋根の棟木の位置から軒先までの長さと略同じ長さであり、棟木の位置から軒先まで通して垂木Ｏ上に配置される。屋根の面全体においては、屋根の傾斜方向と略垂直方向に所定の間隔で配置された垂木Ｏの位置に併せて、複数の通し吊子２０が並列に配置され、それぞれ野地板Ｓ等を介して垂木Ｏに固定される。即ち、通し吊子２０は、垂木Ｏに固定される底板、この底板の両側に立設される一対の側板により形成される上方に開口部を有する細長い溝部からなり、開口部の両側外方に延びる張り出し板を有している。
【００２１】
支持部材３０は、通し吊子２０、瓦棒葺き材４０、キャップ５０および固定部材６０を支持するものであり、図２および図３に示すように、通し吊子２０の溝２１に嵌め入れる長尺状の部材で断面略コ字型の溝形鋼である本体３１と、本体３１の長手方向一部から突出して形成され、瓦棒葺き材４０、キャップ５０および固定部材６０を支持する突出部３２を備える。本体３１は、通し吊子２０と同様に上方に開口しており、長手方向に沿って所定の長さに形成されている。本体３１の底部３３は、通し吊子２０の底部２２と接する部分であり、平坦に形成されている。突出部３２は、所定の間隔、即ち太陽電池モジュール１００の枠材１０２を取りつける間隔（両矢印Ｐ）、に本体３１から外側に屋根に沿うように突出して形成されている。即ち、支持部材３０は、通し吊子２０と共に垂木Ｏに固定される底板、この底板の両側に立設される一対の側板により形成される、上方に開口部を有する細長い溝部からなり、所定の間隔で開口部の両側外方に延びる突出板を有している。通し吊子２０の部材は、折り返す必要上比較的柔らかい部材であるのに対し、支持部材３０の部材は、凹凸がある屋根上に置かれた場合であっても変形しない強度を有する部材である。
【００２２】
支持部材３０の底部３３は、複数の接合穴３４を有し、釘ネジ等の接合部材Ｔにより通し吊子２０と共に屋根の躯体部分（垂木Ｏ）に固定される（図３参照）。通し吊子２０に嵌め込まれた支持部材３０の突出部３２は、通し吊子２０の張り出し部２３と重なった状態となる。即ち、突出部３２は、張り出し部２３上に載置された状態となる。なお、支持部材３０は、通し吊子２０と同じ長さであっても良いし、通し吊子２０よりも短く、一つの通し吊子２０に対して複数の支持部材３０を敷き詰める構成としても良いし、一つの通し吊子２０に対して複数の支持部材３０を所与の間隔で配置する構成としても良い。ここで、支持部材３０の長さを通し吊子２０の長さよりも短くする場合において、凹凸のある既存屋根に太陽電池モジュールを平面状に配置するためには、支持部材３０の長さは、既存屋根の屋根葺き材（瓦やスレートなど）の働き幅（屋根葺き材の重なる部分を除いた実際に外部に露出される部分の幅）の２倍よりも長くすることが望ましい。本実施形態においては、支持部材３０の長さを既存のスレート屋根におけるスレートの働き幅の２倍より長くすることで、支持部材３０がスレート屋根の凹凸を吸収し、太陽電池モジュールを平面上に設置することができるようになる。
【００２３】
瓦棒葺き材４０は、図３に示すように、ルーフィング材１０上に平行に配列された複数の通し吊子２０（図では１個のみ図示）の間において、ルーフィング材１０を覆うように取り付けられる。瓦棒葺き材４０の端部４１はそれぞれ対応する通し吊子２０の側部と接するように上方に折り曲げられ、更に張り出し部２３の下面と接しながら張り出し部２３の端部付近にまで至る。
【００２４】
キャップ５０は、図１に示すように、通し吊子２０の溝２１の全長に亘って嵌め込まれた支持部材３０を覆う長尺状の部材であり、通し吊子２０と略同じ長さである。
キャップ５０は、長手方向に沿って上方に開口する溝５１が形成され、この溝の開口部に張り出し部２３及び突出部３２と並行に延びる鍔部５２が設けられている。鍔部５２は、重なり合う張り出し部２３、突出部３２及び瓦棒葺き材４０を囲むように断面略コ字型に成形されている。
【００２５】
なお、取り付け前のキャップ５０の鍔部５２は、図３に示すように、張り出し部２３、突出部３２及び瓦棒葺き材４０の端部４１が嵌まり込むように下方に略垂直に折曲成形された断面略Ｌ字型となっている。キャップ５０の溝５１を支持部材３０の本体３１に嵌入した後、成形処理される。即ち、キャップ５０は、隣接する瓦棒葺き材４０間を覆うように支持部材３０に取り付けられる。なお、鍔部５２の成形については後述する。
【００２６】
固定部材６０については、さらに図４から図７を参照して詳細に説明する。図４は、図１における固定部材６０の分解斜視図であり、図５は、固定部材６０が通し吊子２０に固定された状態を示す斜視図であり、図６は、図５の点線ＡＡ’における断面図を示し、図７は、図５の点線ＢＢ’における断面図を示す。
【００２７】
固定部材６０は、図１に示すように、太陽電池モジュール１００の枠材１０２を支持部材３０と通し吊子２０に固定する部材である。固定部材６０は、また、図４に示すように、第１の受け部材６１、第２の受け部材６２、押え部材６３、枠材押え部材６４及び接合部材６５を含んで構成される。
【００２８】
第１の受け部材６１は、断面略Ｌ字型の部材であり、溝２１を覆うように通し吊子２０の上方に配置される。第１の受け部材６１は、一方の張り出し部２３を挟むように形成された抜け止め部６１ａを有する。また、第１の受け部材６１には、載置される第２の受け部材６２が通し吊子２０の長手方向へずれないよう上方に傾斜したずれ止め部６１ｂを有する。
【００２９】
第２の受け部材６２は、断面略Ｌ字型の部材であり、第１の受け部材６１の上に載置される。第２の受け部材６２は、他方の張り出し部２３を挟むように形成された抜け止め部６２ａを有する。
【００３０】
押え部材６３は、周囲に下方に曲折された鍔部６３aを有する部材であり、第２の受け部材６２の上に配置される。鍔部６３aは、上方から張り出し部２３を押圧する役割と、第１及び第２の受け部材の抜け止め部６１a、６２aが張り出し部２３から抜けるのを防止する役割を果たす。枠材押え部材６４は、断面略コ字型の部材であり、押え部材６３上に載置された太陽電池モジュール１００の枠材１０２の鍔部材１０２a（図１に図示）を上方から押さえつけることで太陽電池モジュール１００を屋根に固定する。
【００３１】
接合部材６５は、第１の受け部材６１、第２の受け部材６２、押え部材６３、枠材押え部材６４を接合する部材であり、接合ボルト６５ａ、ナット６５ｂ、６５ｃで構成される。
第１の受け部材６１、第２の受け部材６２、押え部材６３及び枠材押え部材６４にはそれぞれ接合ボルト６５ａを通す穴が形成されており、接合部材６５は、先ず、第１の受け部材６１、第２の受け部材および押え部材６３の各ボルト穴に通されてワッシャー６６を介してナット６５ｂにより締め付けられる。
【００３２】
固定部材６０は、図５に示すように、突出部３２と張り出し部２３が重なっている部分（図中；２０ａ）に対し、下方から第１の受け部材６１の抜け止め部６１ａおよび第２の受け部材６２の抜け止め部６２ａによって、上方から第１の押え部材６３の鍔部６３ａによって押圧し、通し吊子２０に固定される。その後、接合ボルト６５ａは、枠材押え部材６４のボルト穴に通されワッシャー６６を介してナット６５ｃにより締め付けられることにより、太陽電池モジュール１００の枠材１０２が通し吊子２０に固定される（図１参照）。
【００３３】
図６に示すように、通し吊子２０の固定部材６０が固定される突出部３２と重なっている張り出し部２３の部分は、キャップ５０の鍔部５２が突出部３２及び張り出し部２３と共に瓦棒葺き材４０の端部４１の下面に接するよう折り曲げられ（一番折り）、断面コ字型に屈曲成形される。鍔部５２が一番折りされることで、突出部３２、張り出し部２３及び瓦棒葺き材４０の端部４１は、キャップ５０の鍔部５２によって覆われ、相互に密着した形態となる（図中；２０ａ）。他方、突出部３２と重なっていない張り出し部２３の部分は、図７に示すように、一番折りされた鍔部５２が、張り出し部２３及び瓦棒葺き材４０の端部４１と共に下方に屈曲成形され（二番折り）、通し吊子２０の側部と略平行に延びた形態となる（図中；２０ｂ）。
【００３４】
即ち、一番折りされた鍔部５２に覆われた張り出し部２３は、固定部材６０が固定される突出部３２と重なる部分では、通し吊子２０の底部２２と略平行に延びた形態である一方で、突出部３２と重ならない部分では、一番折りされた鍔部５２が二番折りされることで、通し吊子２０の側部と略平行に延びた形態となる。言い換えると、通し吊子２０は全長に渡って一番折りと二番折りが交互に形成された形態となる。
【００３５】
このように二番折りを行うことで、張り出し部２３を鍔部５２で覆っただけの一番折りでは不十分な瓦棒葺き材４０の屋根への固定強度を向上させることができる。また、二番折りを行うことで、即ち、キャップ５０で瓦棒葺き材４０を包み込んだ上で更に通し吊子２０の側部に略並行に折り込むことで、雨水の浸入を防止することが可能となる。他方、突出部３２と重なっている張り出し部２３については、一番折りだけであるが固定部材６０が上記のとおり上下から締め付けることで、張り出し部２３に固定されるため、瓦棒葺き材４０に対して十分な固定強度を持たせることができる。また、一番折りだけの部分についても、即ち、キャップ５０により瓦棒葺き材４０を包み込んだ状態だけの部分についても、固定部材６０の鍔部６３ａにより雨水の浸入を防ぐことができる。
【００３６】
図１に示すように、目地キャップ受け６７は、後述する目地キャップ７０を取り付ける場合に、目地キャップ７０を固定するための部材である。目地キャップ受け６７は、略円筒体であるが、その上部は閉じられている。目地キャップ受け６７は、締め付けられた接合ボルト６５aを上方から覆うように取り付けられる。目地キャップ受け６７の側面には、側方に隆起した隆起部６７ａが形成されている。
【００３７】
目地キャップ７０は、隣り合う太陽電池モジュール１００の間に嵌め込む長尺状の部材であり、必要に応じて取り付ける。目地キャップ７０の断面は略コ字型である。目地キャップ７０は、図１に示すように、略くの字型の係止部７０ａを有し、係止部７０ａが目地キャップ受け６７の隆起部６７ａの下方に嵌め込まれることで、隣り合う太陽電池モジュール９０間の隙間を塞いだ状態で固定される。その上面が太陽電池モジュール１００の枠材１０２の上面と略連続するように嵌め込まれる。目地キャップ７０は、例えばゴム製やプラスチック製であるが、目地キャップ７０の原材料は限定されない。
【００３８】
次に、本実施形態の太陽電池モジュール１００を取り付ける方法について、図８、９を用いて説明する。なお、ここでは凹凸のある屋根として、スレート屋根を例とり説明する。図８は、太陽電池モジュール１００の取付け方法を示すフローチャートであり、図９は、太陽電池モジュール１００の取付けが完了したときの様子を示す図である。
【００３９】
図８に示すように、先ず、スレート屋根全体にルーフィング材１０を取り付ける（Ｓ１）。次に、通し吊子２０を所定の間隔をおいてルーフィング材１０上に複数固定する（Ｓ２）。次に、支持部材３０を通し吊子２０の全長に亘って嵌入する（Ｓ３）。次に、固定された通し吊子２０間に瓦棒葺き材４０を、その両端部をそれぞれ対応する通し吊子２０に接するように上方に折り曲げ、さらに、張り出し部２３の下面と接するように折り曲げて、通し吊子２０間のルーフィング材１０を完全に覆うように、取り付ける（Ｓ４）。次に、キャップ５０を支持部材３０の本体３１に嵌入する（Ｓ５）。これにより、支持部材３０の本体３１はキャップ５０により完全に覆われる。次に、支持部材３０の突出部３２に固定部材６０の第１の受け部材６１、第２の受け部材、及び押え部材６３を固定する（Ｓ６）。次に、太陽電池モジュール１００の枠材１０２を押え部材６３の上に載置し、枠材押え部材６４により上から締め付け、固定する（Ｓ７）。こうして太陽電池モジュール１００の取り付けが完了する。なお、瓦棒葺き材４０の端部の形成は予め行っておいても良いし、屋根上で都度形成することとしても良い。
【００４０】
図９は、上記方法により既築屋根Ｒに太陽電池モジュール１００が取り付けられた状態を示す図である。図９に示すように、太陽電池モジュール１００は、既築屋根Ｒ（スレート屋根）にルーフィング材１０を介して覆った瓦棒葺き材４０と通し吊子２０を備える瓦棒葺き屋根に対し、通し吊子２０に取り付けられた固定部材６０を介して固定される。なお、必要に応じて、隣り合う太陽電池モジュール１００の間に目地キャップ受け６７を取り付け、目地キャップ７０を嵌め込んだ構成としてもよい。
【００４１】
なお、支持部材３０の形態は、本発明を逸脱しない範囲で変更が可能である。例えば図１０（ａ）や（ｂ）に示すように、通し吊子２０の溝の高さより低くした本体３１ａや本体３１ａよりさらに低くした本体３１ｂを備える形態、即ち、通し吊子２０の溝の高さよりも低い支持部材３０ａ、３０ｂの本体３１ａ、３１ｂから上方に起立する第１の部分３２１ａ、３２１ｂと、第１の部分３２１ａ、３２１ｂから屋根に沿う方向に突出している第２の部分３２２ａ、３２２ｂとを有する突出部３２ａ、３３ｂを備える形態とすることもできる。このような支持部材３０a、３０ｂは、通し吊子２０に嵌入された状態において、突出部３２a、３２ｂが形成されている部分以外は通し吊子２０の溝の高さより低いため、突出部３２a、３２ｂが設けられてない部分に対して二番折りを容易にすることが可能となる。
また、本実施形態においては、通し吊子２０の開口部分に支持部材３０を嵌め込む構成を説明したが、通し吊子２０を使用せずに、支持部材３０を直接ルーフィング材１０上に配置する構成としても良い。この場合、支持部材３０の長さは、既存のスレート屋根の棟木の位置から軒先までの長さと略同じ長さであることが望ましい。また、支持部材３０の長さがスレート屋根の棟木の位置から軒先までの長さがない場合には、支持部材３０をルーフィング上に隙間なく配置することが望ましい。これらの場合においても、雨水の浸入を防止するため、キャップ５０の長さはスレート屋根の棟木の位置から軒先までの長さと略同じ長さにすることが望ましい。
また、本実施形態においては、太陽電池モジュール１００を押え部材６３上に固定する部材として、枠材押え部材６４により太陽電池モジュール１００の枠材１０２の鍔部材１０２ａを押える方法を例示したが、これに限定するものではなく、太陽電池モジュール１００を押え部材６３上に固定するものであれば良い。例えば、太陽電池モジュール１００の枠材１０２を上から押え部材６３上に押さえつける構成としても良い。
【００４２】
以上、説明したように、本実施形態の太陽電池モジュール取付け構造および取付け方法によれば、太陽電池モジュールを固定する通し吊子の溝全長に渡って支持部材を嵌入したことで、凹凸のある屋根上において通し吊子が変形することがない。このため、太陽電池モジュールを屋根全体に平面状に設置することができる。また、支持部材に所定の間隔、即ち太陽電池モジュールを支持する枠材を設置する間隔に突出部を形成することで、突出部が無い部分では通し吊子を二番折りすることができ、新たに敷設する瓦棒屋根の固定強度を保つことができる。特に凹凸のある屋根として、例えばスレート瓦が敷かれた屋根に適用することで、屋根表面の汚れや耐久性等が無くなった既築住宅の屋根全体を瓦棒屋根で覆い、見栄えと耐久性を向上させつつ太陽電池モジュールを取り付けることができる。
【符号の説明】
【００４３】
１…太陽電池モジュールの取付け構造、１０…ルーフィング材、２０…通し吊子、２１…溝、２２，３３…底部、２３…張り出し部、３０…支持部材、３１…本体、３２…突出部、４０…瓦棒葺き材、５０…キャップ、６０…固定部材、７０…目地キャップ、１００…太陽電池モジュール、１０１…太陽電池パネル、１０２…枠材、Ｓ…野地板（下地材）、Ｒ…屋根（スレート屋根）、Ｏ…垂木
【図１】
2014211067.tif 000003
【図２】
2014211067.tif 000004
【図３】
2014211067.tif 000005
【図４】
2014211067.tif 000006
【図５】
2014211067.tif 000007
【図６】
2014211067.tif 000008
【図７】
2014211067.tif 000009
【図８】
2014211067.tif 000010
【図９】
2014211067.tif 000011
【図１０】
2014211067.tif 000012